(57)【要約】【課題】生産性や品質が良好で、開封性に優れた引裂ジッパーを有する紙容器を提供すること。【解決手段】表面側に２本の平行な半切線ａを形成し、その２本の半切線ａの幅よりも狭幅の２本の平行な半切線ｂを裏面側に形成した帯状の引裂ジッパーを有する紙容器であって、表面側の２本の半切線ａの幅に相当する摘み部分１４が端縁部に設けられ、その摘み部分１４の根元には表面側の半切線ａから裏面側の半切線ｂまで垂直方向に延びる切目線ｃが設けられており、半切線ａ，ｂはブランクはカットロールで形成されたものであり、切目線ｃは打抜きにより形成されたものである。切目線ｃのところから半切線ａ，ｂに沿って紙の層間剥離が行われるので、開始位置がずれて裂けるような事態が防止され、綺麗に層間剥離を起こして開封できる。また、半切線ａ，ｂは少ない斤量の用紙でも一定した深さで正確に形成することができる。【選択図】図３
2008260561.tif 000002
【特許請求の範囲】
【請求項１】
表面側に２本の平行な半切線を形成し、その２本の半切線の幅よりも狭幅の２本の平行な半切線を裏面側に形成した帯状の引裂ジッパーを有する紙容器であって、表面側の２本の半切線の幅に相当する摘み部分が端縁部に設けられ、その摘み部分の根元には表面側の半切線から裏面側の半切線まで垂直方向に延びる切目線が設けられており、表裏両面それぞれに２本ずつある半切線はカットロールで形成されたものであり、摘み部分の根元にある切目線は打抜きにより形成されたものであることを特徴とする紙容器。
【請求項２】
各切目線を裏面側の半切線より内側に突出させ、その各切目線の先端から裏面側の半切線を横切って表面側の半切線に向かってそれぞれ摘み部分とは反対側の斜め方向に延びる補助の半切線を表面側に付設したことを特徴とする請求項１に記載の紙容器。
【発明の詳細な説明】
【技術分野】
【０００１】
本発明は、開封機構付きの紙容器の技術分野に属し、詳しくは、帯状の引裂ジッパー部を備えた紙容器に関するものである。
【背景技術】
【０００２】
従来より、菓子類等を収納する紙容器の開封機構としては、ミシン目状の切目線からなるジッパーを始めとして様々なものがあるが、密封性を考慮したものとして、表面側に２本の平行な半切線（ハーフカット）を形成し、その２本の半切線の幅よりも狭幅の２本の平行な半切線（ハーフカット）を裏面側に形成した帯状の引裂ジッパーが知られている。そして、開封の便宜を考慮して、表面側の２本の半切線の幅に相当する摘み部分を端縁部に設けたものも使用されている。この引裂ジッパーを有する紙容器は、摘み部分を引っ張ると、表面側の半切線と裏面側の半切線とで挟まれた２条の部分で紙が層間剥離を起こすことによって開封することができる。
【０００３】
【特許文献１】実開昭５７−１３４７３号公報
【特許文献２】特開平８−２５８８３３号公報
【発明の開示】
【発明が解決しようとする課題】
【０００４】
上記の引裂ジッパーを備えた紙容器は、表裏両面にそれぞれ半切線を２本ずつ入れたブランクシートを組み立てて製造されるが、これらの半切線は打抜機でブランクシートを打ち抜くのと同時に両面から短い切刃により入れられている。したがって、半切線の深さ管理が難しく、紙の厚みによっては貫通したり切れが甘くなったりする。特に、裏面側の半切線についてはその管理が難しく、生産性と品質に影響を与えている。
【０００５】
また、摘み部分は表面側の２本の半切線の幅で端縁部に設けられるが、摘み部分の外形を打ち抜く切刃と表面側及び裏面側の半切線を形成する切刃は、近づけることができるだけで交差させることがないため、ブランクシートを打ち抜いた時に摘み部分の根元はいずれの半切線にもつながらず、両者の間に切れていない部分が残ることから、摘み部分を注意深く引っ張らないとうまく開封できない場合が生じていた。
【０００６】
本発明は、このような問題点に鑑みてなされたものであり、その目的とするところは、生産性や品質が良好で、開封性に優れた引裂ジッパーを有する紙容器を提供することにある。
【課題を解決するための手段】
【０００７】
上記の目的を達成するため、本発明の紙容器は、表面側に２本の平行な半切線を形成し、その２本の半切線の幅よりも狭幅の２本の平行な半切線を裏面側に形成した帯状の引裂ジッパーを有する紙容器であって、表面側の２本の半切線の幅に相当する摘み部分が端縁部に設けられ、その摘み部分の根元には表面側の半切線から裏面側の半切線まで垂直方向に延びる切目線が設けられており、表裏両面それぞれに２本ずつある半切線はカットロールで形成されたものであり、摘み部分の根元にある切目線は打抜きにより形成されたものであることを特徴とする。
【０００８】
そして、上記の構成からなる紙容器において、各切目線を裏面側の半切線より内側に突出させ、その各切目線の先端から裏面側の半切線を横切って表面側の半切線に向かってそれぞれ摘み部分とは反対側の斜め方向に延びる補助の半切線を表面側に付設した形態を採ってもよい。
【発明の効果】
【０００９】
本発明の紙容器は、摘み部分を引っ張ると、表面側の半切線と裏面側の半切線とで挟まれた２条の部分で紙が層間剥離を起こすことによって開封されるが、摘み部分の根元にある切目線のところから半切線に沿って紙の層間剥離が行われるので、開始位置がずれて裂けるような事態が防止され、綺麗に層間剥離を起こして開封することができる。また、表裏両面それぞれに２本ずつある半切線は、カットロールで形成するので、少ない斤量の用紙でも一定した深さで正確に形成することができ、品質の良好なものを生産することができる。
【００１０】
そして、各切目線を裏面側の半切線より内側に突出させ、その各切目線の先端から裏面側の半切線を横切って表面側の半切線に向かってそれぞれ摘み部分とは反対側の斜め方向に延びる補助の半切線を表面側に付設することにより、摘み部分の根元に形成した各切目線の先端から表面側の半切線に向かって徐々に広がるようにして層間剥離を開始することができ、表面側の半切線と裏面側の半切線とで挟まれた２条の部分から層間剥離がずれることがなく、開封性を高めることができる。
【発明を実施するための最良の形態】
【００１１】
次に、本発明の実施の形態について図面を参照しながら詳細に説明する。
【００１２】
図１は本発明に係る紙容器の一例を示す斜視図、図２は図１に示す紙容器を組み立てるブランクの展開図である。
【００１３】
ブランクは、紙器用の板紙を打ち抜いて形成されたもので、図２に示すように、折線を介してそれぞれが縦長の前面パネル１、側面パネル２、背面パネル３、側面パネル４及び糊代片５が順次横に並んで連設されており、前面パネル１の上下にはそれぞれ折線を介して内側上面パネル６、内側底面パネル７が連設され、側面パネル２の上下にはそれぞれ折線を介して上側折込みパネル８、下側折込みパネル９が連設され、背面パネル３の上下にはそれぞれ折線を介して外側上面パネル１０、外側底面パネル１１が連設され、側面パネル４の上下にはそれぞれ折線を介して上側折込みパネル１２、下側折込みパネル１３が連設されている。
【００１４】
このブランクには、図示の如く、前面パネル１、側面パネル２、背面パネル３、側面パネル４及び糊代片５を横断する状態で帯状の引裂ジッパーＧが上下に平行に２本設けられている。この引裂ジッパーＧは、表面側に２本の平行な半切線ａを形成し、その２本の半切線ａの幅よりも狭幅の２本の平行な半切線ｂを裏面側に形成し、表面側の２本の半切線ａの幅に相当する摘み部分１４を前面パネル１の端縁部に突出して設けることで構成されており、図３の一部拡大図に示すように、摘み部分１４の根元には表面側の半切線ａから裏面側の半切線ｂまで垂直方向に延びる切目線ｃが設けられている。実際には、切目線ｃを裏面側の半切線ｂと確実に交差させるため、各切目線ｃは裏面側の半切線ｂより内側に僅かに突出する。
【００１５】
表面側の半切線ａと裏面側の半切線ｂはいずれもブランク打抜き時より前に予めカットロールで形成されており、摘み部分１４の根元にある切目線ｃはブランク打抜き時に形成されている。この場合、切目線ｃを裏面側の半切線ｂと確実に交差させるため、実際には各切目線ｃは裏面側の半切線ｂより内側に僅かに突出する。
【００１６】
ここで使用するカットロールは、円板の外周に刃を突出形成した形状をした公知のもので、連続状態の用紙を送りながらこのカットロールを押し当てることで用紙に対して一定の深さの半切線（ハーフカット）を形成するようになっている。例えば、シート断ち機にカットロールを取り付け、このシート断ち機で用紙を所定幅に切断すると同時に、表側の半切線ａと裏面側の半切線ｂの両方を一度に形成する。また、切目線ｃは、切断刃を追加した打抜き機を使用することよりブランクを打ち抜く時に同時に形成する。
【００１７】
このように、表裏両面それぞれに２本ずつある半切線は、カットロールで形成するので、少ない斤量の用紙でも一定した深さで正確に形成することができる。また、開封箇所を増やす場合、打抜きと同時に入れる従来の方法では半切箇所が多くなって品質が安定しなかったが、カットロールを用いることにより、数を容易に増やすことができる。
【００１８】
図２のブランクから図１の紙容器を組み立てるには、前面パネル１を糊代片５に貼着することによって全体をサック貼りし、このサック貼り状態で充填工程に供給した後、角筒状に起こし、底部を閉じてから内容物を入れて上部を閉じる。すなわち、下側折込みパネル９，１３を折り込んでから内側底面パネル７、外側底面パネル１１を折り畳んで貼着することによって底部を閉じ、内容物を入れてから、上側折込みパネル８，１２を折り込んでから内側上面パネル６、外側上面パネル１０を折り畳んで貼着することによって上部を閉じる。
【００１９】
このようにして製造された紙容器は、図１に示すように、前面パネル１の端縁部から摘み部分１４が僅かに突き出た状態となる。そして、この摘み部分１４を持って引っ張ることにより、図４に示す如く、最初は糊代片５との貼着部分が剥がれつつ、表面側の半切線ａと裏面側の半切線ｂとで挟まれた２条の部分で紙が層間剥離を起こすことによって開封される。この場合、摘み部分１４の根元にある切目線ｃのところから紙の層間剥離が始まり、次いで一定した深さの半切線ａ，ｂに沿って帯状の部分で紙の層間剥離が行われる。したがって、開始位置がずれて裂けるような事態が防止され、綺麗に層間剥離を起こして開封することができる。
【００２０】
なお、図１の紙容器のように引裂ジッパーＧが上下に２本設けられている場合、開け方としては、例えば、最初に上方の引裂ジッパーＧを開け、それより上の部分を除去して中身を消費した後、下方の引裂ジッパーＧを開け、それより上の部分を除去して中身を消費する。もちろん、内容物に応じて２本の引裂ジッパーを適宜開ければよい。
【００２１】
図５は図１〜図４で説明した紙容器の変形例を図３に対応して示したもので、この変形例はブランク打抜き時に補助的な半切用の刃を追加して開封性を高めたものである。すなわち、各切目線ｃを裏面側の半切線ｂより内側に突出させ、その各切目線の先端から裏面側の半切線ｂを横切って表面側の半切線ａに向かってそれぞれ摘み部分１４とは反対側の斜め方向に延びる補助の半切線ｄを裏面側に付設してある。このような補助の半切線ｄを設けたことにより、摘み部分１４の根元に形成した各切目線ｃの先端から表面側の半切線ａに向かって徐々に広がるようにして層間剥離を開始することができる。したがって、表面側の半切線ａと裏面側の半切線ｂとで挟まれた２条の部分から層間剥離がずれることがない。
【００２２】
以上、本発明の実施の形態について詳細に説明してきたが、本発明による紙容器は、上記実施の形態に何ら限定されるものではなく、本発明の趣旨を逸脱しない範囲において種々の変更が可能であることは当然のことである。
【００２３】
例えば、上記の例では、紙容器の形状を断面が矩形状で上下に細長い形状としたが、このような形状に限るものではない。例えば、円筒形状や円錐形状でもよいし、或いは円筒形状の下方を偏平にしたような形状でもよい。
【００２４】
また、上記の例では、引裂ジッパーを上下に２本並んで設けたが、この数は用途に応じて適宜決めればよいものであり、１本でも構わないし３本以上でも構わない。
【００２５】
また、上記の例では、表裏両面それぞれに２本ずつ設ける半切線をブランク打抜き時より前に予めカットロールで形成したが、打抜き後のブランクにカットロールを押し当てて形成することも可能である。
【図面の簡単な説明】
【００２６】
【図１】本発明に係る紙容器の一例を示す斜視図である。
【図２】図１に示す紙容器を組み立てるブランクの展開図である。
【図３】図１に示すブランクの要部を示す一部拡大図である。
【図４】図１に示す紙容器を開封する様子を示す斜視図である。
【図５】図１〜図４で説明した紙容器の変形例を図３に対応して示した一部拡大図である。
【符号の説明】
【００２７】
１  前面パネル
２  側面パネル
３  背面パネル
４  側面パネル
５  糊代片
６  内側上面パネル
７  内側底面パネル
８  上側折込みパネル
９  下側折込みパネル
１０  外側上面パネル
１１  外側底面パネル
１２  上側折込みパネル
１３  下側折込みパネル
１４  摘み部分
Ｇ  引裂ジッパー
ａ  半切線（表面側）
ｂ  半切線（裏面側）
ｃ  切目線
ｄ  半切線
【図１】
2008260561.tif 000003
【図２】
2008260561.tif 000004
【図３】
2008260561.tif 000005
【図４】
2008260561.tif 000006
【図５】
2008260561.tif 000007